(57)【要約】【課題】乗場の火災発生時に三方枠の温度上昇に起因する三方枠部材の膨張に伴う変形が少ないエレベーターの三方枠装置を得る。【解決手段】乗場３の出入口７縁部を構成する三方枠４を、昇降路１開口部に配置し三方枠４の縁部と開口部縁部の間に塞ぎ板８を設ける。そして、塞ぎ板８縁部と三方枠４の縁部を締結し、塞ぎ板８縁部の開口部縁部との対向面を長穴に挿通した締結具により締結し、開口部縁部と三方枠４の間の空隙を閉塞する。そして、一つの階の乗場３の火災時に加熱により三方枠４に長手方向の伸びが発生するが、塞ぎ板８が長穴により締結してあるので伸び発生方向に摺動する。このため、膨張時の伸びの拘束により発生する反りや捻りが減少し、三方枠４と対向部材間の隙間の発生が減少し炎や煙の流入による災害の拡大を防ぐ。【選択図】　　　　図１
2004091134.tif 000002
【特許請求の範囲】
【請求項１】
昇降路に設けられて乗場を構成する開口部に設置され上記乗場の出入口縁部を形成する三方枠と、一側が上記三方枠の外側の縁部に締結され他側は上記開口部の縁部に配置された塞ぎ板と、上記塞ぎ板の上記開口部の縁部との対向面における長手に沿う方向に互いに離れて設けられて、長手が上記対向面における長手に沿う方向に配置された長穴に挿通され、上記対向面を上記開口部の縁部に締結する締結具とを備えたエレベーターの三方枠装置。
【請求項２】
塞ぎ板の三方枠の外側縁部との対向面における長手に沿う方向に互いに離れて設けられて、長手が上記対向面における長手に沿う方向に配置された長穴に挿通され、上記対向面を上記三方枠の外側縁部に締結する締結具を備えたことを特徴とする請求項１記載のエレベーターの三方枠装置。
【請求項３】
一側が開口部縁部と塞ぎ板の間に介装され、かつ他側に設けられた屈折面が三方枠の外側縁部の屈折部と空隙を形成し互いに対面して配置された遮蔽板を備えたことを特徴とする請求項１及び請求項２のいずれか一つに記載のエレベーターの三方枠装置。
【発明の詳細な説明】
【０００１】
【発明の属する技術分野】
この発明は、昇降路の階床位置に設けられた乗場に設置されて乗場の出入口縁部を構成するエレベーターの三方枠装置に関する。
【０００２】
【従来の技術】
図４〜図９は、例えば実開平５−１９２７４号公報に示された構成に類似した従来のエレベーターの三方枠装置を示す図で、図４はエレベーター乗場の正面図、図５は図４のＡ−Ａ線断面拡大図、図６は図４のＢ−Ｂ線断面拡大図、図７は火災による図４の三方枠の変形状態を示す図、図８は図７のＣ−Ｃ線断面拡大図、図９は図７のＤ−Ｄ線断面拡大図である。図において、１はエレベーターの昇降路、２は昇降路１に設けられて乗場３を構成する開口部である。
【０００３】
４は三方枠で、側枠５及び上枠６からなり開口部２に設置されて乗場３の出入口７縁部を形成する。８は塞ぎ板で、一側が開口部２の縁部に重合して配置され、他側は側枠５の補強材９又は上枠６の縁部に重合して配置されている。１０は塞ぎ板８の開口部２との重合部、塞ぎ板８の側枠５部材との重合部、塞ぎ板８の上枠６部材との重合部に挿通されたボルトを主体とした締結具である。
【０００４】
従来のエレベーターの三方枠装置は上記のように構成され、昇降路１に設けられた乗場３の出入口７縁部を構成する三方枠４が昇降路１の開口部２に対向して配置される。そして、三方枠４の側枠５又は上枠６と開口部２縁部の間に塞ぎ板８が設けられ、塞ぎ板８は開口部２縁部と側枠５又は上枠６に対して重合して配置される。
【０００５】
また、塞ぎ板８の開口部２縁部との対向面、側枠５又は上枠６に対する対向面に挿通された締結具１０によって、これらの対向面に対応した部材に塞ぎ板８が固定的に締結される。これにより、昇降路１の開口部２縁部と三方枠４の外周縁部との両者の間に塞ぎ板８が設けられて、上記両者相互間の隙間を閉塞するようになっている。
【０００６】
【発明が解決しようとする課題】
上記のような従来のエレベーターの三方枠装置では、昇降路１の開口部２縁部と三方枠４の外周縁部との両者の間に塞ぎ板８が設けられて、上記両者相互間の隙間が閉塞される。このような構成において、昇降路１が設けられた建物の一つの乗場３に火災が発生した場合に、三方枠４が加熱されたときには三方枠４の側枠５等の部材が膨張する。
【０００７】
これにより、側枠５等が長手方向、すなわち上下方向に伸びるものの、塞ぎ板８によって側枠５等の縁部が締結具１０により開口部２縁部に固定的に締結されている。このため、側枠５等が加熱されて膨張するときの伸びが拘束され反りや捻りが発生する。また、側枠５等の加熱による反りや捻りの発生時に、開口部２縁部、塞ぎ板８、側枠５の間において隙間が生じ、その隙間から火災の炎や煙が昇降路１へ流入して火災災害が他の乗場３に拡大する恐れがあるという問題点があった。
【０００８】
この発明は、かかる問題点を解消するためになされたものであり、乗場に火災が発生して三方枠が加熱された場合に、側枠等の部材の膨張に伴う変形が少ないエレベーターの三方枠装置を得ることを目的とする。
【０００９】
【課題を解決するための手段】
この発明に係るエレベーターの三方枠装置においては、昇降路に設けられて乗場を構成する開口部に設置され乗場の出入口縁部を形成する三方枠と、一側が三方枠の外側の縁部に締結され他側は開口部の縁部に配置された塞ぎ板と、塞ぎ板の開口部の縁部との対向面における長手に沿う方向に互いに離れて設けられて、長手が塞ぎ板の開口部の縁部との対向面における長手に沿う方向に配置された長穴に挿通され、開口部の縁部との対向面を開口部の縁部に締結する締結具とが設けられる。
【００１０】
また、この発明に係るエレベーターの三方枠装置においては、塞ぎ板の三方枠の外側縁部との対向面における長手に沿う方向に互いに離れて設けられて、長手が塞ぎ板の三方枠の外側縁部との対向面における長手に沿う方向に配置された長穴に挿通され、塞ぎ板の三方枠の外側縁部との対向面を三方枠の外側縁部に締結する締結具が設けられる。
【００１１】
また、この発明に係るエレベーターの三方枠装置においては、一側が開口部縁部と塞ぎ板の間に介装され、かつ他側に設けられた屈折面が三方枠の外側縁部の屈折部と空隙を形成し互いに対面して配置された遮蔽板が設けられる。
【００１２】
【発明の実施の形態】
実施の形態１．
図１及び図２は、この発明の実施の形態の一例を示す図で、図１はエレベーター乗場の正面図、図２は図１のＥ部拡大図である。なお、図１及び図２の他は前述の図４〜図６と同様にエレベーターの三方枠装置が構成されている。図において、１はエレベーターの昇降路、３は昇降路１に設けられた乗場で、前述の図５における昇降路１の開口部２が設けられている。
【００１３】
４は三方枠で、側枠５及び上枠６からなり開口部２に設置されて乗場３の出入口７縁部を形成する。８は塞ぎ板で、一側が開口部２の縁部に重合して配置され、他側は側枠５の補強材９又は上枠６の縁部に重合して配置されている。１１は長穴で、長手が上下方向に配置されて塞ぎ板８の開口部２の縁部との対向面における長手に沿う方向に互いに離れて設けられている。１０はボルトを主要部材となす締結具で、長穴１１に挿通されて塞ぎ板８の開口部２の縁部との対向面を開口部２の縁部に締結する。
【００１４】
上記のように構成されたエレベーターの三方枠装置において、昇降路１に設けられた乗場３の出入口７縁部を構成する三方枠４が昇降路１の開口部２に対向して配置される。そして、三方枠４の側枠５又は上枠６と開口部２縁部の間に塞ぎ板８が設けられ、塞ぎ板８は開口部２縁部と側枠５又は上枠６に対して重合して配置される。
【００１５】
また、塞ぎ板８の側枠５又は上枠６に対する対向面と、側枠５又は上枠６の縁部が相互に締結され、また塞ぎ板８の開口部２縁部との対向面に設けられた長穴１１に挿通された締結具１０によって、これらの対向面に対応した部材に塞ぎ板８が締結される。これによって、昇降路１の開口部２縁部と三方枠４の外周縁部との両者の間に塞ぎ板８が設けられて、上記両者相互間の隙間が閉塞される。
【００１６】
このような構成において、昇降路１が設けられた建物の一つの乗場３に火災が発生した場合に、三方枠４が加熱されたときには三方枠４の側枠５等の部材が膨張する。これにより、側枠５等が長手方向、すなわち上下方向に伸びが発生するが、塞ぎ板８が長穴１１に挿通された締結具１０によって開口部２縁部に締結されているので、側枠５等の伸び発生方向に塞ぎ板８が開口部２縁部に対して摺動する。
【００１７】
このため、側枠５等が加熱されて膨張するときの伸びが拘束されて発生する反りや捻りを少なくすることができる。したがって、側枠５等の加熱による反りや捻りの発生が減少して、開口部２縁部、塞ぎ板８、側枠５の間において隙間の発生が少なくなる。これにより、開口部２縁部と側枠５等の間の隙間から火災の炎や煙が昇降路１へ流入することによる火災災害の他の乗場３への拡大を未然に防ぐことができる。
【００１８】
実施の形態２．
図１及び図２の実施の形態において、塞ぎ板８の三方枠４の側枠５等との対向面に前述の長穴１１を設け、この長穴１１に挿通された締結具１０によって塞ぎ板８の対向面と三方枠４の側枠５等の縁部とを締結する。このような構成において、火災発生により三方枠４が加熱されたときの三方枠４の側枠５等の部材の膨張に対して、側枠５等の伸び発生方向への摺動性が向上する。
【００１９】
したがって、側枠５等の加熱による反りや捻りの発生がさらに減少し、開口部２縁部、塞ぎ板８、側枠５の間において隙間の発生が少なくなる。これにより、開口部２縁部と側枠５等の間の隙間から火災の炎や煙が昇降路１へ流入することによる火災災害の他の乗場３への拡大を一層有効に未然に防ぐことができる。
【００２０】
実施の形態３．
図３は、この発明の他の実施の形態の一例を示す図で、前述の図９相当図である。図において、前述の図１及び図２と同符号は相当部分を示し、１２は遮蔽板で、一側が開口部２縁部と塞ぎ板８の間に介装され締結具１０によって、開口部２縁部に塞ぎ板８と共締めされ、他側は屈折されて屈折面１３が三方枠４の上枠６の上縁の屈折部の下側において屈折部と空隙を形成し互いに対面して配置される。
【００２１】
上記のように構成されたエレベーターの三方枠装置においても、塞ぎ板８の開口部２縁部との対向面が前述の長穴１１を介して締結具１０によって開口部２縁部に締結される。したがって、詳細な説明を省略するが図３の実施の形態においても図１及び図２の実施の形態と同様な作用が得られる。
【００２２】
また、図３の実施の形態において遮蔽板１２が設けられるので、火災発生により三方枠４が加熱されたときに上枠６等が変形して上枠６と塞ぎ板８の間に隙間が生じた場合であっても、上枠６の上縁の屈折部と遮蔽板１２の屈折面１３の間に、屈折したラビリンス状の流路が形成される。このため、上枠６と塞ぎ板８の間に隙間から火災の炎や煙が昇降路１へ流入し難くなり、火災災害の他の乗場３への拡大を未然に防ぐことができる。
【００２３】
【発明の効果】
この発明は以上説明したように、昇降路に設けられて乗場を構成する開口部に設置され乗場の出入口縁部を形成する三方枠と、一側が三方枠の外側の縁部に締結され他側は開口部の縁部に配置された塞ぎ板と、塞ぎ板の開口部の縁部との対向面における長手に沿う方向に互いに離れて設けられて、長手が塞ぎ板の開口部の縁部との対向面における長手に沿う方向に配置された長穴に挿通され、開口部の縁部との対向面を開口部の縁部に締結する締結具とを設けたものである。
【００２４】
これによって、昇降路に設けられた乗場の出入口縁部を構成する三方枠が昇降路の開口部に対向して配置され、三方枠の外周縁部と開口部縁部の間に塞ぎ板が設けられて開口部縁部と三方枠の外周縁部に対して重合して配置される。また、塞ぎ板の縁部と三方枠の外周縁部が締結され、塞ぎ板縁部の開口部縁部との対向面に設けられて長手が対向面の長手方向に配置された長穴に挿通された締結具によって、開口部縁部に塞ぎ板縁部が締結される。これにより、昇降路の開口部縁部と三方枠の外周縁部との両者の間が塞ぎ板によって閉塞される。このような構成において、昇降路が設けられた建物の一つの乗場に火災が発生した場合に、三方枠が加熱されて例えば三方枠の側枠等の部材が膨張する。このときに、側枠等が長手方向、すなわち側枠に上下方向の伸びが発生するが、塞ぎ板が長穴を介して締結具によって開口部縁部に締結されているので、側枠等が伸び発生方向に摺動する。このため、側枠等が膨張するときの伸びが拘束されて発生する反りや捻りが減少する。したがって、開口部縁部、塞ぎ板、側枠の間において隙間の発生が少なくなり、開口部縁部と側枠等の間の隙間から火災の炎や煙が昇降路へ流入することによる火災災害の他の乗場への拡大を未然に防止する効果がある。
【００２５】
また、この発明は以上説明したように、塞ぎ板の三方枠の外側縁部との対向面における長手に沿う方向に互いに離れて設けられて、長手が塞ぎ板の三方枠の外側縁部との対向面における長手に沿う方向に配置された長穴に挿通され、塞ぎ板の三方枠の外側縁部との対向面を三方枠の外側縁部に締結する締結具を設けたものである。
【００２６】
これによって、塞ぎ板の三方枠の外側縁部との対向面においても、塞ぎ板が長穴を介して締結具によって三方枠の外側縁部に締結されている。このため、三方枠の側枠等が塞ぎ板との締結部においても伸び発生方向に摺動する。このため、側枠等が膨張するときの伸びが拘束されて発生する反りや捻りをさらに減少することができる。したがって、開口部縁部、塞ぎ板、側枠の間において隙間の発生が少なくなり、開口部縁部と側枠等の間の隙間から火災の炎や煙が昇降路へ流入することによる火災災害の他の乗場への拡大を一層有効に未然に防止する効果がある。
【００２７】
また、この発明は以上説明したように、一側が開口部縁部と塞ぎ板の間に介装され、かつ他側に設けられた屈折面が三方枠の外側縁部の屈折部と空隙を形成し互いに対面して配置された遮蔽板を設けたものである。
【００２８】
これによって、火災発生により三方枠が加熱されて変形し、三方枠部材と塞ぎ板の間に隙間が生じた場合であっても、遮蔽板が設けられるので三方枠部材の屈折部と遮蔽板の屈折面の間に、屈折したラビリンス状の流路が形成される。このため、三方枠部材と塞ぎ板の間に隙間から火災の炎や煙が昇降路へ流入し難くなり、火災災害の他の乗場への拡大を未然に防ぐことができる。
【図面の簡単な説明】
【図１】この発明の実施の形態１を示すエレベーター乗場の正面図。
【図２】図１のＥ部拡大図。
【図３】この発明の実施の形態３を示す図で、後述する図９相当図。
【図４】従来のエレベーターの三方枠装置を示す図で、エレベーター乗場の正面図。
【図５】図４のＡ−Ａ線断面拡大図。
【図６】図４のＢ−Ｂ線断面拡大図。
【図７】火災による図４の三方枠の変形状態を示す図。
【図８】図７のＣ−Ｃ線断面拡大図。
【図９】図７のＤ−Ｄ線断面拡大図。
【符号の説明】
１　昇降路、　　２　開口部、　　３　乗場、　　４　三方枠、　　７　出入口、　　８　塞ぎ板、　　１０　締結具、　　１１　長穴、　　１２　遮蔽板、
１３　屈折面。
【図１】
2004091134.tif 000003
【図２】
2004091134.tif 000004
【図３】
2004091134.tif 000005
【図４】
2004091134.tif 000006
【図５】
2004091134.tif 000007
【図６】
2004091134.tif 000008
【図７】
2004091134.tif 000009
【図８】
2004091134.tif 000010
【図９】
2004091134.tif 000011